(57)【要約】【課題】構成が簡素で安価に製造できるようにするとともに、注湯に際して不測に熱さを感じさせてしまわないようにする。【解決手段】液体を貯留するケトル本体１３の胴体部３１が合成樹脂からなる１枚の筒状壁で形成され、胴体部３１の外側面にハンドル３６を備えた電気ケトル１１において、胴体部３１の外側面におけるハンドル３６の内側となる部位に、胴体部３１とハンドル３６との間に手を差し入れる空間６１を残しつつ胴体部３１の外側面を覆って緩衝作用をするカバー部材６２を備える。【選択図】図１
2019042268.tif 000002
【特許請求の範囲】
【請求項１】
液体を貯留するケトル本体の胴体部が合成樹脂からなる１枚の筒状壁で形成され、前記胴体部の外側面にハンドルを備えた電気ケトルであって、
前記胴体部の外側面における前記ハンドルの内側となる部位に、前記胴体部と前記ハンドルとの間に手を差し入れる空間を残しつつ前記胴体部の外側面を覆うカバー部材を備えた
電気ケトル。
【請求項２】
前記カバー部材に、前記胴体部の外側面と間に隙間をつくるリブが形成された
請求項１に記載の電気ケトル。
【請求項３】
前記カバー部材が、前記ハンドル側から見たときに前記ハンドルの輪郭内に収まる略長方形板状である
請求項１または請求項２に記載の電気ケトル。
【請求項４】
前記ハンドルが上端と下端を前記胴体部に結合した閉じた形状であり、
前記カバー部材の上端と下端が、前記ハンドルの内側の上端と下端に近接している
請求項１から請求項３のうちいずれか一項に記載の電気ケトル。
【請求項５】
前記ハンドルが前記胴体部に一体成形された
請求項１から請求項４のうちいずれか一項に記載の電気ケトル。
【請求項６】
前記胴体部における前記カバー部材の固定位置に、先端に返し部を有する抜け止め片と、前記カバー部材の内側面を前記胴体部の外側面に押しつけたときに互いが嵌合し合う嵌合構造の一方が形成され、
前記カバー部材の内側面には、前記嵌合構造の他方と、前記嵌合構造を嵌合させたときに前記抜け止め片の返し部の裏側に入り込んで係止する係止爪が形成された
請求項１から請求項５のうちいずれか一項に記載の電気ケトル。
【発明の詳細な説明】
【技術分野】
【０００１】
この発明は、電気ケトルに関し、より詳しくは、構成が簡素で安価に製造できる上に扱いやすい電気ケトルに関する。
【背景技術】
【０００２】
構成が簡素な電気ケトルとしては、下記特許文献１に開示されたものがある。この電気ケトルは、液体を貯留するケトル本体の胴体部が合成樹脂製であり、その胴体部は１枚の筒状壁で形成されている。胴体部の下部には熱源が備えられており、胴体部内の水は沸騰される。湯を注ぐときなどにケトル本体を持つためのハンドルは、胴体部の側面に設けられている。
【０００３】
このような構成の電気ケトルでは、胴体部が合成樹脂製であるとともに一つの部材で構成されているので、構成を簡素にして安価に製造できる利点がある。
【０００４】
しかしながら、胴体部の中に沸騰した湯が入ることになるので、扱いにくい面があった。つまり、胴体部は内部の熱湯によって外側面も熱くなるので、湯を注ごうとしてハンドルを持つときに胴体部の外側面に手が不測に接すると、熱さで気が動転してしまうことがあり、取扱いには注意が必要であった。
【０００５】
下記特許文献２には、合成樹脂製の貯水部を覆う合成樹脂製の筐体を備えたものが開示されている。
【０００６】
しかし、筐体は貯水部におけるハンドル部分を除いた全体を覆う構造であるので、たとえば内部の水量を見る透視窓部分を筐体の外側面と面一になるように突出させるなど、細かな工夫が必要であり、全体として構造が複雑になり、部品点数も多くなってしまう。
【先行技術文献】
【特許文献】
【０００７】
【特許文献１】特開２００９−２８５１７０号公報
【特許文献２】特許第５９３６０５２号公報
【発明の概要】
【発明が解決しようとする課題】
【０００８】
この発明は、構成が簡素で安価に製造できるようにするとともに、不測に熱さを感じさせてしまわないようにすることを主な目的とする。
【課題を解決するための手段】
【０００９】
そのための手段は、液体を貯留するケトル本体の胴体部が合成樹脂製であるとともに１枚の筒状壁で形成され、前記胴体部の外側面にハンドルを備えた電気ケトルであって、前記胴体部の外側面における前記ハンドルの内側となる部位に、前記胴体部と前記ハンドルとの間に手を差し入れる空間を残しつつ前記胴体部の外側面を覆うカバー部材を備えた電気ケトルである。
【００１０】
この構成では、カバー部材がハンドルの内側において胴体部の外側面の熱を和らげる。
【発明の効果】
【００１１】
この発明によれば、カバー部材が熱を和らげるので、不測に手が触れても熱くないようにすることができる。しかも、カバー部材は、胴体部の全体に形成するのではなく、ハンドルの内側に対応する部分に形成するので、構成を簡素にすることができるとともに製造コストも抑えることができる。
【図面の簡単な説明】
【００１２】
【図１】電気ケトルの斜視図。
【図２】電気ケトルの縦断面図。
【図３】胴体部と、これに固定される部材を分離した状態の斜視図。
【図４】要部の縦断面図。
【図５】要部の分解斜視図。
【図６】胴体部の横断面図。
【発明を実施するための形態】
【００１３】
この発明を実施するための一形態を、以下図面を用いて説明する。
【００１４】
図１に、電気ケトル１１の斜視図を示す。電気ケトル１１は流体を貯留するケトル本体１３と、このケトル本体１３をのせるとともにケトル本体１３に給電を行う給電台１５で構成されている。
【００１５】
この電気ケトル１１では、構成が簡素でありながらも注湯に際して不測に熱さを感じることを抑制できる胴体部３１を備えている。
【００１６】
まず、電気ケトル１１の大まかな構成を説明する。
【００１７】
給電台１５は、平面視円形の皿状であり、上面は、電気ケトル１１の概略構造を示す断面図である図２に示したように、ケトル本体１３の底面を受ける凹形状に形成されている。その上面の中央に、ケトル本体１３との相対回転位置に関わらず通電可能とする電源ソケット１６が上に向けて備えられている。
【００１８】
ケトル本体１３は胴体部３１と底部３２で有底筒状に形成され、上端の開口部３３に蓋部材３４が着脱可能に取り付けられる。
【００１９】
ケトル本体１３の胴体部３１は合成樹脂からなる１枚の筒状壁で形成されている。換言すれば、胴体部３１は合成樹脂製の一重壁構造である。胴体部３１は下側ほどやや大径となる円筒状であり、上端部は若干くびらせて形成されている。上端の開口部３３の一部には注ぎ口３５が突設されており、上端の開口部３３の中心を隔てて注ぎ口３５とは反対側の外側面には、ハンドル３６が形成されている。
【００２０】
ハンドル３６は、上端３６ａと下端３６ｂを胴体部３１に結合した閉じた形状であり、胴体部３１に一体成形されている。つまり、ハンドル３６の上端３６ａは胴体部３１の上端部の外側面から胴体部３１の下端部の外側面に略コ字状に延びている。このため、ハンドル３６の側面視形状は略Ｄ形であり、手を横から入れて把持できる構成である。
【００２１】
ハンドル３６の横断面形状は、胴体部３１斜視図である図３に示したように、Ｕ字形であり、ハンドル３６の上面と側面と下面が一連に開口したハンドル開口部３７を有している。このハンドル開口部３７を、ハンドル３６の内部に必要な部材を装填したのちに、別体のハンドルカバー３８で閉塞すると、所定の機能を有するハンドル３６となる。ハンドル３６内に装填される部材としては、主に、ハンドル３６の上端３６ａにあって外部から操作可能なスイッチレバー３９と、蓋部材３４を通って導かれる蒸気を検知しスイッチレバー３９と連動するバイメタルスイッチを備えた沸騰検出部４０と、通電時に点灯するランプ４１がある。
【００２２】
胴体部３１の外側面のうち、ハンドル３６から注ぎ口３５に向けて９０度を隔てた２箇所には、透明の部材からなる透視窓４２が形成されている。この透視窓４２は、内部の水位を確認する部分であり、インサート成形により一体形成している。
【００２３】
胴体部３１の下端の開口部４３を塞ぐ底部３２は、胴体部３１にシール材４４を介して内側に嵌合される加熱プレート４５からなる内底と、加熱プレート４５よりも下であって胴体部３１の下端に嵌められる皿状の底材４６からなる外底を備えている。加熱プレート４５の下面にはヒータ４７が備えられ、このヒータ４７に電力を供給する電源プラグ４８も備えられている。電源プラグ４８は底部３２の中央に固定され、ケトル本体１３を給電台１５にのせたときに電源ソケット１６に差し込まれるものである。
【００２４】
蓋部材３４は、胴体部３１の上端の開口部３３の内周面に形成された円環状突片４９より上に保持されるものであり、給湯路５０と蒸気路５１を備えている。給湯路５０は、蓋部材３４の下面と注ぎ口３５を結ぶものであり、蒸気路５１は、ケトル本体１３内で発生する蒸気を上面から逃がすとともに前述したハンドル３６内の沸騰検出部４０に導くものである。
【００２５】
蓋部材３４の下面における注ぎ口３５側に寄った位置に出湯口５２が形成され、この出湯口５２に対して下から接離して閉じたり開いたりする弁部材５３を備えている。弁部材５３は、出湯口５２を閉じる方向、つまり上方に向けて付勢されており、蓋部材３４の上面に露出させたスライドレバー５４の摺動で、付勢力に従って上動して出湯口５２を閉じる閉位置と、付勢力に抗して降下して出湯口５２を開ける開位置とに移動可能である。
【００２６】
蒸気路５１は、蓋部材３４の下面におけるハンドル３６側に寄った位置に形成された貫通穴かならなる蒸気入口５５と、蒸気入口５５の上方であって蓋部材３４の上面に形成された蒸気出口５６と、蒸気入口５５と蒸気出口５６を結ぶ通路の中間からハンドル３６側に延びて蓋部材３４の側面に開口する蒸気流路５７を備えている。蒸気入口５５の上には、ケトル本体１３が万が一転倒した時に、蒸気出口５６からお湯が出ることを防ぐために蒸気入口５５と蒸気出口５６を結ぶ通路を遮断する転倒時漏えい防止弁５８を備えている。図２においては、転倒時漏えい防止弁５８が通路を遮断している状態を示している。
【００２７】
また蓋部材の上面には図２に示したように、左右一対のロックレバー５９が備えられている。これらロックレバー５９は、被着状態を保持するためものであり、図３に示したように胴体部３１の上端の開口部３３の内周面に形成された係止溝６０に対して係脱する爪部（図示せず）を有している。
【００２８】
電気ケトル１１の概略構造は以上のとおりであり、電気ケトル１１は、注湯時に手が不測に触れても熱くないようにする構造を、胴体部３１の外側面におけるハンドル３６の内側となる部位に形成している。すなわち、その部位に、胴体部３１とハンドル３６との間に手を差し入れる空間６１を確保しつつ胴体部３１の外側面を覆うカバー部材６２を備えている。
【００２９】
カバー部材６２の固定状態の拡大断面図を図４に、カバー部材６２部分の分解斜視図を図５に、図４におけるＡ−Ａ部分における胴体部３１の横断面図を図６に示す。
【００３０】
胴体部３１の外側面におけるカバー部材６２を固定する位置（カバー部材６２の固定位置）には、横断面円形の外側面から左右両側を若干盛り上げて平らな固定面６３を形成している。固定面６３の左右両外側部６３ａは、末広がり状に円弧を描いて形状の変化を滑らかにしている。
【００３１】
固定面６３は、ハンドル３６側から見たときにハンドル３６の輪郭内に収まる大きさの略長方形状である。ハンドル３６の輪郭に対応する形状であれば、ハンドル３６の輪郭内に収まらずにはみ出してもよい。
【００３２】
固定面６３の上端部６３ｂと下端部６３ｃは、ハンドル３６の上端３６ａと下端３６ｂ、つまりハンドル３６の内側の上端とハンドル３６の内側の下端に近接している。これら固定面６３の上端部６３ｂと下端部６３ｃの縦断面形状は凹の円弧状である。また、これらハンドルの上端３６ａと下端３６ｂの内側には、カバー部材６２を面一に固定するための段差部６４が形成されている。
【００３３】
固定面６３には、カバー部材６２を固定するために、抜け止め片６５と、嵌合構造６６の一方が形成されている。抜け止め片６５は、固定面６３の複数個所、図示例では上部と中間部と下部の３カ所に形成されている。抜け止め片６５の形状は、固定面６３の幅方向に長い形状で、図４、図５に示したように、固定面６３から突出する突出片６５ａの先端に、上方又は下方に延びる返し部６５ｂを有する構造である。返し部６５ｂも突出片６５ａと同じ長さである。抜け止め片６５の長さは、固定面６３の幅よりも短い。図示例の抜け止め片６５では、上部と中間部の抜け止め片６５は返し部６５ｂを上に向けており、下部の抜け止め片６５は返し部６５ｂを下に向けている。
【００３４】
嵌合構造６６はカバー部材６２の内側面を胴体部３１の外側面に押しつけたときに互いが嵌合し合うものであり、嵌合突起６６ａと嵌合凹部６６ｂで構成され、固定面６３には嵌合構造６６の一方として嵌合突起６６ａを形成している。嵌合突起６６ａは抜け止め片６５の間の左右方向の中間位置に１本ずつ形成されている。嵌合突起６６ａの形状は断面円形の棒状である。固定面６３に形成する嵌合構造６６の一方を、嵌合凹部６６ｂとすることもできる。
【００３５】
カバー部材６２は、胴体部３１と同様に合成樹脂製であり、前述の固定面６３に対応する形状、つまり略長方形の板状に形成されている。カバー部材６２の左右両側縁には、カバー部材６２の幅方向の中間部を胴体部３１の外側面と非接触にして、胴体部３１の外側面との間に隙間をつくるリブ６７が形成されている。リブ６７ではあるが、形成位置が左右両側縁であるので、固定面６３の左右両外側部６３ａから滑らかに表面が連続するように、リブ６７の上端角部は曲面を有している。
【００３６】
カバー部材６２の上端と下端には、固定面６３の上端部６３ｂと下端部６３ｃに隣接した段差部６４より内側に嵌る嵌入部６８を有している。嵌入部６８は、固定面６３の上端部６３ｂや下端部６３ｃに嵌合対応する形状である。
【００３７】
また、カバー部材６２の内側面における嵌合突起６６ａに対応する位置には、嵌合構造６６の他方、つまり嵌合凹部６６ｂが形成されている。これに加えて、固定面６３の抜け止め片６５に対応する部位のうち左右両側部位には、嵌合構造６６を嵌合させたときに抜け止め片６５の返し部６５ｂの裏側に入り込んで係止する係止爪６９が形成されている。係止爪６９の左右方向の長さは、抜け止め片６５の左右方向の両端部に重なる長さである。
【００３８】
係止爪６９のうち、上端部と中間部の係止爪６９は下に向けて延びており、下端部の係止爪６９は上に向けて延びている。これら係止爪６９には、嵌合構造６６を嵌合させたときに抜け止め片６５の返し部６５ｂの裏側に入り込んで係止することができるようにすべく、嵌合構造６６の嵌合時に抜け止め片６５に対向して当接する面に、内側ほど後退する方向に傾斜する傾斜面６９ａが形成されている。
【００３９】
カバー部材６２は合成樹脂のほか、熱伝導率の低いゴムなどの他の材料で構成してもよい。
【００４０】
前述のように固定面６３の上端部６３ｂと下端部６３ｃは、ハンドル３６の内側の上端とハンドル３６の内側の下端に近接しているので、固定面６３にカバー部材６２を固定すると、カバー部材６２の上端と下端が、ハンドルの内側の上端と下端に近接することになる。
【００４１】
このような構成の固定面６３を有した胴体部３１にカバー部材６２を固定するには、カバー部材６２を、嵌合構造６６を嵌め合わせるように胴体部３１に対して押しつける。すると、カバー部材６２の係止爪６９と固定面６３の抜け止め片６５は弾性変位して係合しあう。この係合状態は、嵌合構造６６の嵌合と、抜け止め片６５及び係止爪６９の係止との協働で保持されるので、カバー部材６２の胴体部３１に対する固定状態は維持されることになる。
【００４２】
カバー部材６２は、胴体部３１の外側面を覆う上に、合成樹脂製であって熱を伝えにくいので、胴体部３１の外側面が露出している部分よりも表面温度を低くできる。このため、熱湯を沸かした状態で注湯のためにハンドルを持った時に手が不測にカバー部材６２に触れても、熱く感じることはなく、注湯する者が気が動転してしまったりすることを防止できる。このため、扱いやすく安全性が得られる。
【００４３】
そのカバー部材６２はリブ６７を有しており胴体部３１の外側面との間に空間をするので、空間が緩衝作用をして、熱くなるのを確実に抑えられる。
【００４４】
またカバー部材６２は、上端と下端がハンドル３６の上端と下端に近接しているので、より広い範囲に作用を及ぼすことができる。
【００４５】
その一方、カバー部材６２は略長方形板状であって、ハンドル３６の側から見たときにハンドル３６の輪郭内に収まる形状であるので、カバー部材６２を固定しても外観が不当に劣化することを抑制できる。そのうえ、固定面６３の左右両外側部６３ａには円弧面を形成するとともに、固定面６３の上端と下端の隣接位置、つまりハンドルの上端３６ａと下端３６ｂの内側には段差部６４を形成しているので、カバー部材６２の納まりが良い。
【００４６】
さらに、カバー部材６２は、嵌合構造６６と抜け止め片６５及び係止爪６９で固定する構造であるため、嵌めるだけで固定できる。固定に際して他の部材が不要であることと、胴体部３１を１枚の筒状壁で構成したこと、ハンドル３６を胴体部３１に一体形成したことと相まって、部品点数を大幅に削減できるとともに構成を簡素にできる。組み立ても容易で行えるので、安価に製造可能である。
【００４７】
以上の構成は、この発明を実施するための一形態であり、この発明は前出の構成のみに限定されるものではなく、その他の構成を採用することもできる。
【００４８】
たとえば、カバー部材６２は溶着や接着などの他の手段で固定してもよい。
【００４９】
また、カバー部材６２の内外に適宜の部材、例えば通電時に点灯するランプ４１などを備えてもよい。
【符号の説明】
【００５０】
１１…電気ケトル
１３…ケトル本体
３１…胴体部
３６…ハンドル
３６ａ…上端
３６ｂ…下端
６１…手を差し入れる空間
６２…カバー部材
６３…固定面
６５…抜け止め片
６５ｂ…返し部
６６…嵌合構造
６７…リブ
６９…係止爪
【図１】
2019042268.tif 000003
【図２】
2019042268.tif 000004
【図３】
2019042268.tif 000005
【図４】
2019042268.tif 000006
【図５】
2019042268.tif 000007
【図６】
2019042268.tif 000008